(57)【要約】【課題】高温の被測定物体を必要とせず、実際の測温時前に測定視野の確認ができる走査型放射温度計を提供することを目的とする。【解決手段】被測定物体からの放射光を走査する走査手段と、温度測定素子と、前記走査手段から送られる入射光を前記温度測定素子に導く集光手段と、可視光レーザを前記集光手段の光路に沿って前記走査手段側に照射するレーザ照射手段とを備えたことを特徴とする走査型放射温度計。【選択図】図１
2006234593.tif 000002
【特許請求の範囲】
【請求項１】
被測定物体からの放射光を走査する走査手段と、温度測定素子と、前記走査手段から送られる入射光を前記温度測定素子に導く集光手段と、可視光レーザを前記集光手段の光路に沿って前記走査手段側に照射するレーザ照射手段とを備えたことを特徴とする走査型放射温度計。
【請求項２】
走査手段が回転ミラーと駆動装置からなる請求項１記載の走査型放射温度計。
【請求項３】
集光手段がレンズと反射鏡の組合せからなる請求項１または請求項２記載の走査型放射温度計。
【請求項４】
レーザ照射手段が可視光レーザ照射装置とハーフミラー又はミラーからなる請求項１から請求項３のいずれかに記載の走査型放射温度計。
【請求項５】
請求項１記載の走査型放射温度計の使用方法であって、レーザ照射手段から可視光レーザを集光手段の光路に沿って走査手段側に照射することにより、可視光レーザを被測定物体に照射し、走査型放射温度計の測定視野と被測定物との位置関係を目視にて確認する走査型放射温度計の使用方法。
【発明の詳細な説明】
【技術分野】
【０００１】
本発明は、温度測定場所で測定視野を容易に目視確認することができる機能を備えた走査型放射温度計に関する。
【背景技術】
【０００２】
一般に、走査型放射温度計は被測定物体から数ｍ以上離れた場所から、その距離の数倍に相当する測定対象幅の放射エネルギー分布を検出する場合に用いられる。
従って、走査型放射温度計は被測定物体が温度測定の視野に入るように正しい設置角度で設置する必要がある。
【０００３】
従来、走査型放射温度計の測定視野を確認する方法としては、実際の被測定物体もしくは、ヒータ等の加熱体を前記走査型放射温度計の測定視野と思われる位置に設置し、被測定物体の温度を実測しながら視野確認がおこなわれていた。
特許文献１には測定現場において走査式放射計を設置するにあたり測定視野を容易に目視確認することができる技術が開示されている。
【０００４】
又類似技術としては光ファイバ型の放射温度計および投・受光型センサ等において、前記光ファイバ内に可視光レーザを入光させることにより、放射温度計の測定視野やセンサの投光位置を目視にて確認する技術がある。
【特許文献１】特開平８−１５９８７０号公報
【発明の開示】
【発明が解決しようとする課題】
【０００５】
しかし、実際の高温被測定物体もしくはヒータ等の加熱体を走査型放射温度計の測定視野と思われる位置に設置し、温度を実測することによって測定視野の確認をする方法では高温被測定物やヒータ等の加熱体を準備する必要がある。この場合、走査型放射温度計と被測定物との距離は相当離れており、設置角度の変動に対する測定視野の移動量も大きいので、検出出力を確認しながら設置角度の微調整を行うことは極めて手間を要する作業であった。また、ヒータ等の加熱体を用いる場合、測定レンジが高温域である場合には、その測定レンジに対応した温度域までヒータを昇温させる必要があるため、昇温および保温用の大掛かりな加熱装置等が必要になるという問題があり、更には、高温物を扱うという安全上の問題もあった。また、ラインに走査型放射温度計を設置して、オンラインにて視野確認しなくては、ならない場合があり、事前に測定視野を確認できないという問題があった。そのため、事前に放射温度計を設置して視野確認をした後に、再度設置位置確認が必要となる場合が多く発生していた。さらには、温度測定視野内の一部に他の設備の干渉による視野欠けが発生するか否かや、外乱光の反射が発生するか否かを、事前に認識しにくいという問題点があった。
【０００６】
特許文献１の目視確認機構を付加した走査型放射温度計の場合も測定視野周辺の状況をファインダーを通して目視観察できるが、外乱光の反射が発生することによる誤確認等の問題があった。
【０００７】
本発明は、高温の被測定物体を必要とせず、且つ、実際の測温時以前に測定視野を確認できる点で、前記課題を解決し、走査型放射温度計の視野確認を容易にまた、安全に確認する技術を提供することを目的とする。
【課題を解決するための手段】
【０００８】
発明者等は、上記課題を解決すべく鋭意検討を重ねた結果、これを解決する手段を見出した。本発明の要旨は以下の通りである。
【０００９】
（１）第一の発明は、被測定物体からの放射光を走査する走査手段と、温度測定素子と、前記走査手段から送られる入射光を前記温度測定素子に導く集光手段と、可視光レーザを前記集光手段の光路に沿って前記走査手段側に照射するレーザ照射手段とを備えたことを特徴とする走査型放射温度計である。
【００１０】
（２）第二の発明は、走査手段が回転ミラーと駆動装置からなる第一の発明に記載の走査型放射温度計である。
【００１１】
（３）第三の発明は、集光手段がレンズと反射鏡の組合せからなる第一の発明または第二の発明に記載の走査型放射温度計である。
【００１２】
（４）第四の発明は、レーザ照射手段が可視光レーザ照射装置とハーフミラー又はミラーからなる第一の発明から第三の発明のいずれかに記載の走査型放射温度計である。
【００１３】
（５）第五の発明は、第一の発明に記載の走査型放射温度計の使用方法であって、レーザ照射手段から可視光レーザを集光手段の光路に沿って走査手段側に照射することにより、可視光レーザを被測定物体に照射し、走査型放射温度計の測定視野と被測定物との位置関係を目視にて確認する走査型放射温度計の使用方法である。
【発明の効果】
【００１４】
本発明の走査型放射温度計は、可視光レーザ照射装置から被測定物に可視光レーザを照射するので走査型放射温度計の測定視野を目視で確認することができるようになった。これにより、走査型放射温度計の設置作業において視野欠けの有無の確認が容易に行えるようになり、また外乱光の影響の有無についても事前に確認することが可能となった。また、視野確認用にレーザを使用するので被測定物が高温か、低温かに関係なく視野確認作業が安全に実施できるという効果もある。
【発明を実施するための最良の形態】
【００１５】
走査型放射温度計において、測定視野を確認する場合、実際の温度測定素子の位置から可視光レーザを照射することが望ましいが、温度測定素子を取り外して当該位置にレーザ照射装置を設置することは、測定誤差を生じたり、測定精度に影響を及ぼす可能性があるため望ましくない。一方、本発明によれば、第１図に示すように温度測定素子の直前の光路にハーフミラー又はミラーを設置することで、測定素子を取り外すことなく、それと直角となる位置からレーザ等を照射できるようにして、測定精度への影響が発生しないようにしている。
【００１６】
なお、前記可視光レーザ照射装置を走査型放射温度計の内部に常時設置すると、測温時に温度測定素子への被測温物体からの入射光の光路を遮ることになるので、ミラーはハーフミラーとして入射光が透過できるようにするか、測温時には前記可視光レーザ照射装置を前記光路から離脱した位置にできるようにした場合は、透過型でないミラーを使用することも可能である。更には、前記可視光レーザ照射装置を取外し可能として視野測定を行う場合のみに走査型放射温度計に取付ける脱着タイプとしても良い。
【００１７】
上述した可視光レーザ照射装置によりレーザを照射すると前記ハーフミラー又はミラーを介してレーザ光が走査型放射温度計の外部に照射されるので、このレーザ照射範囲が走査型放射温度計の温度測定視野と一致する。即ち、可視光レーザの照射範囲を目視することによって、走査型放射温度計の温度測定視野を確認することができることとなる。
【００１８】
従って、温度測定視野内の一部に他の設備が干渉して視野欠けが発生するか否か、や外乱光の反射が発生するか否かを実際に高温の被測定物体を用いることなく確認することができるようになった。尚、可視光レーザを用いたのは、レーザの直進照射性と可視性のためであるが、これと同等の性質を持つものであれば、代用も可能である。また、使用するレーザは温度測定素子の測定可能幅と同等幅のレーザを照射する必要がある。
更には、本実施例では走査型放射温度計の走査方法を回転ミラーによる例を図示したが、レンズを用いた場合でも使用可能である。同様に、光路にハーフミラーやミラーを配置する例を図示したが、プリズム等のレンズを使うことも可能である。
【産業上の利用可能性】
【００１９】
走査型放射温度計の測定視野確認に可視光レーザを使うようにしたので高温物体の測定だけでなく、中温、低温域での測定にも適用できる。
【図面の簡単な説明】
【００２０】
【図１】走査型放射温度計の設備構成を示した説明図である。
【符号の説明】
【００２１】
１    走査型放射温度計
２    温度測定素子
３    ハーフミラー又はミラー
４    可視光レーザ照射装置
５    回転ミラー
６    レーザ照射範囲（＝温度測定視野）
【図１】
2006234593.tif 000003